(57)【要約】【課題】誤操作を生じにくい洗浄回路を備える歯科ユニットを提供する。【解決手段】給水回路に接続され、給水回路の管内を洗浄する回路である洗浄回路１０を具備し、洗浄回路は、洗浄液が貯留された洗浄液容器１１と、給水回路に洗浄液を流すか、給水回路に水を流すかを手動により切り替える三方弁１２と、三方弁の切り替え、給水回路への洗浄液の流入開始のスイッチ１８、及び、給水回路への水の流入開始のスイッチ１９を具備する操作盤１５と、を有し、操作盤は、回転又は移動により三方弁を切り替える摘み１６と、給水回路への洗浄液の流入開始のスイッチ、及び、給水回路への水の流入開始のスイッチの一方が露出しているときには、他方を隠蔽する手段１７を備えている。【選択図】図３
2018171277.tif 000002
【特許請求の範囲】
【請求項１】
給水回路を備える歯科用ユニットであって、
前記給水回路に接続され、前記給水回路の管内を洗浄する回路である洗浄回路を具備し、
前記洗浄回路は、
洗浄液が貯留された洗浄液容器と、
前記給水回路に洗浄液を流すか、前記給水回路に水を流すかを手動により切り替える三方弁と、
前記三方弁の切り替え、前記給水回路への前記洗浄液の流入開始のスイッチ、及び、前記給水回路への前記水の流入開始のスイッチを具備する操作盤と、を有し、
前記操作盤は、
回転又は移動により前記三方弁を切り替える摘みと、
前記給水回路への前記洗浄液の流入開始のスイッチ、及び、前記給水回路への前記水の流入開始のスイッチの一方が露出しているときには、他方を隠蔽する手段を備えている、
歯科ユニット。
【請求項２】
前記操作盤の摘みは、回転するように構成されており、該回転の軸が前記三方弁の回転の軸と同軸である、請求項１に記載の歯科ユニット。
【発明の詳細な説明】
【技術分野】
【０００１】
本発明は、歯科ユニットに関し、特に給水回路を洗浄するための洗浄回路を備える歯科ユニットに関する。
【背景技術】
【０００２】
歯科ユニットは、歯科治療等の際に使用される各種設備が備えられるユニットであり、患者が着座する患者用椅子を備えている。そしてその周囲には、施術者が使用する歯科治療のための各種器具が配置されるドクターユニット、アシスタントハンガー、患者にうがい水等を供給する給水部、これを排水するためのスピットン、及び患者の口腔内を照らす歯科用照明等が備えられている。
【０００３】
このように、歯科ユニットでは、給水部やハンドピースのための給水回路を備えている。そして、給水回路は衛生の観点から、該給水回路を構成する配管内を洗浄することが好ましく、そのために例えば非特許文献１のように、給水回路に対して洗浄回路が付加されるものがある。
【０００４】
このような洗浄回路は、給水回路に対して並列に設置され、操作盤の操作で作動する弁が切り替えられ、給水回路に対して洗浄剤を流して配管内に充填させることができるように構成されている。そして洗浄が終わると操作盤の操作で作動する弁が切り替えられ、給水回路に水が流れて洗浄剤がすすがれて排出されるとともに、給水部やハンドピースに再び水を供給できる状態となる。
【先行技術文献】
【非特許文献】
【０００５】
【非特許文献１】インターネット情報、株式会社モリタ、ホームスペースラインＨＰ、Hygiene、給水管路クリーンシステム、操作パネル、" http://www.dental-plaza.com/article/emcia_type3_up/feature2.html "、平成２９年３月３１日検索
【発明の概要】
【発明が解決しようとする課題】
【０００６】
このような、洗浄回路は、操作の煩雑を避けて利便性を高めるために１つの操作盤のみで、洗浄剤の流入及びすすぎを一元管理できるように構成されている。しかしながら、そのために誤操作の懸念が高まり、誤操作を防止する観点から工夫が必要であった。誤操作があると、洗浄剤が給水部やハンドピースを通して患者に供給されてしまう虞もあり、このようなことは回避しなければならない。
【０００７】
そこで、本発明は上記の問題点に鑑み、誤操作を生じ難い洗浄回路を備える歯科ユニットを提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
本発明の１つの態様は、給水回路を備える歯科用ユニット（１）であって、給水回路に接続され、給水回路の管内を洗浄する回路である洗浄回路（１０）を具備し、洗浄回路は、洗浄液が貯留された洗浄液容器（１１）と、給水回路に洗浄液を流すか、給水回路に水を流すかを手動により切り替える三方弁（１２）と、三方弁の切り替え、給水回路への洗浄液の流入開始のスイッチ（１８）、及び、給水回路への水の流入開始のスイッチ（１９）を具備する操作盤（１５）と、を有し、操作盤は、回転又は移動により三方弁を切り替える摘み（１６）と、給水回路への洗浄液の流入開始のスイッチ、及び、給水回路への水の流入開始のスイッチの一方が露出しているときには、他方を隠蔽する手段（１７）を備えている、歯科ユニットである。
【００１０】
上記歯科ユニット（１０）において、操作盤（１５）の摘み（１６）は、回転するように構成されており、該回転の軸が三方弁（１２）の回転の軸と同軸としてもよい。
【発明の効果】
【００１１】
本発明の歯科ユニットによれば、洗浄回路の誤操作を防止し、誤って洗浄剤が患者に供給されてしまうことをより確実に防ぐことができる。
【図面の簡単な説明】
【００１２】
【図１】歯科ユニット１の外観斜視図である。
【図２】洗浄回路１０を説明する図である。
【図３】図３（ａ）は操作盤１５の１つの姿勢を表す図、図３（ｂ）は操作盤１５の他の姿勢を表す図である。
【図４】図４（ａ）は操作盤１５’の１つの姿勢を表す図、図４（ｂ）は操作盤１５’の他の姿勢を表す図である。
【発明を実施するための形態】
【００１３】
以下、本発明を図面に示す形態に基づき説明する。ただし本発明はこれら形態に限定されるものではない。
【００１４】
図１は１つの形態にかかる歯科ユニット１の外観図、図２は歯科ユニット１が備える洗浄回路１０を説明するための模式図である。図１、図２からわかるように、歯科ユニット１は、基台２、患者用椅子３、歯科用照明４、ドクターユニット５、アシスタントユニット６、給水回路、空気回路、及び洗浄回路１０を備えている。
【００１５】
基台２は患者用椅子３の下方に配置されており、患者用椅子３の土台となるものである。基台２は、筐体により外郭が形成されるとともに、該筐体の内側には、各種制御機器が内包されている。ここに含まれる制御機器としては、例えば、患者用椅子３の昇降、傾倒起立等をさせるための油圧回路、及び該油圧回路を制御する油圧制御手段を挙げることができる。従って、基台２のうち、患者用椅子３の背面側には、フットスイッチが設けられる。施術者はこのフットスイッチやドクターユニット５の操作パネル５ｄの操作スイッチを操作して油圧制御手段に対して指令を出し、油圧回路を制御して患者用椅子３の昇降、傾倒起立をさせることができる。
【００１６】
患者用椅子３は、公知の通りであるが、着座部、背もたれ、ヘッドレスト、レッグレスト、及びフットレストを備えており、基台２に配置された油圧回路により上記したように昇降、及び傾倒起立させることができるように構成されている。
【００１７】
歯科用照明４は、治療を行うときに的確に患者の口腔内を照明することができるように、自在継ぎ手等により自由度高く移動回動可能なアームを介して取り付けられている。従って、歯科用照明４は、その位置、角度を調整することにより、施術者が患者の口腔内を適切に観察できる位置へ該歯科用照明４を移動させることが可能である。
【００１８】
ドクターユニット５は、患者用椅子３の側方のうちアシスタントユニット６とは反対側の側方に設けられ、施術者が必要とする各器具やスイッチ等が備えられる作業台５ａを有している。この作業台５ａにはその上面に作業面５ｂを有するとともに、施術者が施術の際に使用するハンドピース群５ｃがホルダーに収められている。ハンドピース群５ｃに含まれるハンドピースとしては、例えば、エアタービン、マイクロモータ、スケーラ、シリンジ等を挙げることができる。作業台５ａには、操作パネル５ｄが設けられてもよく、ここに各種操作スイッチ類が配置されており、例えば患者用椅子３の傾倒起立、昇降操作、歯科用照明４の点灯及び消灯の切り替え等が可能となっている。
そして、作業台５ａはアーム５ｅにより移動及び回動ができるように支持されており、施術者の移動に合わせて作業台５ａも移動及び回動することが可能とされ、利便性の向上が図られている。
【００１９】
アシスタントユニット６は、患者用椅子３の側方のうちのドクターユニット５が配置された側とは反対側に設けられ、アシスタントハンガー７、スピットン８、及び給水部９を備えている。
【００２０】
アシスタントハンガー７は、主にアシスタントが使用する器具が具備された部位である。アシスタントハンガー７は、ハンガー部７ａ、及びハンガー支柱７ｂを備えている。ハンガー部７ａには、例えばバキューム、排唾管、シリンジ等のハンドピースが懸架されている。そしてこのようなハンガー部７ａがハンガー支柱７ｂにより移動及び回動可能に支持されている。
【００２１】
スピットン８は、給水部９から供給された水により治療中や治療後に患者がうがいをして、口腔内を洗浄するときに使用するものである。従って、スピットン８は、うがいをした後の口腔内の水を吐き捨てるため、鉢状とされている。そしてスピットン８に排出された唾液や水は、ウオーターユニット中の排水トラップを介して排出される。ここで、スピットン８は、患者の正面側に向かって水平面内で回動可能とされている。これにより患者の目の前にスピットン８を配置することができ、利便性を向上させている。
【００２２】
給水部９は、給水源からの水が流出する部位であり、治療中や治療後に患者がうがいをして、口腔内を洗浄するとき等に使用される。
【００２３】
給水回路は、図２に一部が示されているように、給水源から給水部９やハンドピース等に水を供給する配管及び各種機器からなる給水回路である。ここに備えられる各種機器は例えば弁やレギュレータ等を挙げることができるが公知のものを必要に応じて適用することができる。
【００２４】
空気回路は、図２に一部が示されているように、空気供給源から各ハンドピースに空気（エアー）を供給する配管及び各種機器からなる空気回路である。ここに備えられる各種機器は例えば弁やレギュレータ等を挙げることができるが公知のものを必要に応じて適用することができる。
【００２５】
洗浄回路１０は、給水回路の管内を洗浄する回路であり、給水回路内に洗浄剤を充填させる回路である。図２には洗浄回路１０の構成を概念的に表した図、図３（ａ）、図３（ｂ）には洗浄回路１０に備えられる操作盤１５を示した。
洗浄回路１０は、洗浄液容器１１、給水回路三方弁１２、空気回路三方弁１３、レギュレータ１４、及び操作盤１５を備え、これらが必要に応じて配管で接続されている。洗浄回路１０は、給水回路及び空気回路に並列するように配置されている。
【００２６】
洗浄液容器１１は、洗浄液が貯留された容器である。洗浄液容器１１は密閉可能にフタが配置され、該フタの部分に配管が通される。具体的には、空気回路からの配管、及び給水回路からの配管が通されている。
空気回路からの配管は洗浄液容器１１の上部で開口し、洗浄液容器１１の上部に空気を供給するように配置されている。
給水回路からの配管は洗浄液容器１１の下部まで延びて該下部で開口し、洗浄液容器１１の下部から洗浄液を管内に流入させることができるように配置されている。
【００２７】
用いられる洗浄液の種類は特に限定されることはないが、過酸化水素水、次亜塩素酸水、界面活性剤などが挙げられる。
【００２８】
給水回路三方弁１２は、給水回路に配置される三方弁であり、本形態では手動で切り替える三方弁が用いられる。これにより、後述する操作盤１５の特徴と相まって簡易な構造で信頼性が高く、誤操作を防止することができるものとなる。
給水回路三方弁１２は、給水源からの配管、給水部９やハンドピース（「給水部９等」と記載することがある。）への配管、及び洗浄液容器１１からの配管が接続される。そしてこの接続により、洗浄液容器１１から給水部９等へ流れる流路（「Ａ１接続」と記載することがある。）と、給水源から給水部９等へ流れる流路（「Ｂ１接続」と記載することがある。）と、を切り替えることができる。
【００２９】
空気回路三方弁１３は、空気回路に配置される三方弁であり、本形態では洗浄液を加圧する目的で、タイマー制御を行うために電磁式の三方弁が用いられる。
【００３０】
レギュレータ１４は、洗浄液の充填圧力の調整を可能とし、空気回路三方弁１３と合わせることで一定の時間制御により定量の洗浄液を供給することを目的としているレギュレータである。レギュレータ１４は空気回路三方弁１３よりも空気供給源側に配置されており、圧力計も合わせて備えている。
【００３１】
操作盤１５は、給水回路三方弁１２の切り替え、洗浄開始、及びすすぎ開始を操作する操作板であり、操作摘み１６、隠蔽片１７、洗浄開始スイッチ１８、及びすすぎ開始スイッチ１９を有して構成されている。
【００３２】
操作摘み１６は操作者がここを摘んで操作するための突起であり、本形態では摘みの中心を軸に回転させて操作する。本形態ではこの回転の軸が給水回路三方弁１２の切り替え軸と同軸に形成されており、操作摘み１６の回転が給水回路三方弁１２の切り替え操作となる。これにより簡易な構造で確実に給水回路三方弁１２の切り替えをすることができる。
【００３３】
隠蔽片１７は、操作摘み１６から突出し、操作摘み１６に追随して回動する片である。そして、隠蔽片１７は、図３（ａ）、図３（ｂ）からわかるように、操作摘み１６の姿勢により、洗浄開始スイッチ１８、又は、すすぎ開始スイッチ１９を覆うように配置することができ、洗浄開始スイッチ１８、及び、すすぎ開始スイッチ１９の一方が露出しているときに他方を操作者から隠蔽する。
【００３４】
洗浄開始スイッチ１８は、給水回路の洗浄を開始するスイッチであり、これを押圧することにより空気回路三方弁１３がＡ２接続となり、洗浄液容器１１に空気が供給される。これにより後述するように洗浄液容器１１から洗浄液が給水回路に充填されて給水回路の管内の洗浄が行われる。
【００３５】
すすぎ開始スイッチ１９は、洗浄液で満たされた給水回路をすすぐために、給水回路に水の供給を開始するスイッチであり、これを押圧することによりＢ１接続状態において、給水源から給水部９等へ水が供給される。これにより後述するように水が給水回路に流され、洗浄液がすすがれる。
【００３６】
図４には変形例にかかる操作盤１５’を説明する図を示した。図４（ａ）は図３（ａ）に相当し、図４（ｂ）は図３（ｂ）に相当する。操作盤１５’では、操作摘み１６’が直線的に移動（本形態では紙面左右方向に移動）することにより隠蔽片１７’を移動させる形態を有している。そして操作摘み１６’に移動が給水回路三方弁１２の切り替え操作となる。
【００３７】
このように洗浄回路１０によれば、洗浄とすすぎとの切り替えが操作盤１５、１５’で行われるところ、非常に簡易な構成であり電気による処理を必要としない。従って、簡易な構成で信頼性の高い切り替えが可能となる。
【００３８】
以上のような構成を有する歯科ユニット１では、例えば次のように給水回路の洗浄が行われる。
【００３９】
給水回路の洗浄を始めるに際して、操作摘み１６を例えば図３（ａ）の矢印ＩＩＩａのように回動して、操作盤１５を図３（ａ）の姿勢とする。この姿勢では、給水回路三方弁１２がＡ１接続となるとともに、洗浄開始スイッチ１８が露出し、すすぎ開始スイッチ１９は隠蔽片１７により隠されている。従って操作者は洗浄開始スイッチ１８を押すしか選択枝がなく、誤操作が防止される。
この状態で、操作者が洗浄開始スイッチ１８を押すと、空気回路三方弁１３がＡ２接続となり、空気供給源からレギュレータ１４により調圧された空気が供給される。これにより、図２に点線矢印Ａ２に示したように、洗浄液容器１１に空気が供給される。すると、洗浄液容器１１から洗浄液が押し出され、点線矢印Ａ１で示したように洗浄液が給水部９等へ充填される。これにより給水回路の配管内にレギュレータ１４で調圧された圧力で洗浄液が充填して洗浄が行われる。なお、洗浄液の供給は空気回路三方弁１３のタイマー機能により当該タイマーで規定された所定の時間で行われる。
【００４０】
このように給水回路の配管内に洗浄液が充填して所定の時間が経過した後、これをすすぐ。そのため、給水回路のすすぎを始めるに際して、操作摘み１６を例えば図３（ｂ）の矢印ＩＩＩｂのように回動して、操作盤１５を図３（ｂ）の姿勢とする。この姿勢では、給水回路三方弁１２がＢ１接続となるとともに、すすぎ開始スイッチ１９が露出し、洗浄開始スイッチ１８は隠蔽片１７により隠されている。従って操作者はすすぎ開始スイッチ１９を押すしか選択枝がなく、誤操作が防止される。
この状態で、操作者がすすぎ開始スイッチ１９を押すと、給水源から図２に実線矢印Ｂ１で示したように、給水部９等へ水が供給される。これにより給水回路の配管内に充填していた洗浄液がすすがれる。
【００４１】
このように操作盤１５によれば、押すべきスイッチに選択肢がないので確実に誤操作を防止することが可能となる。
【００４２】
上記形態では洗浄液を加圧して洗浄液容器から流出させるための手段として空気回路を用いた例を示したが、これに限らず別途ポンプを設ける等して洗浄液を加圧するように構成することもできる。
【符号の説明】
【００４３】
１  歯科ユニット
２  台座
３  歯科用椅子
４  歯科用照明
５  ドクターユニット
６  アシスタントユニット
１０  洗浄回路
１１  洗浄液容器
１２  給水回路三法弁
１３  空気回路三方弁
１４  レギュレータ
１５  操作盤
１６  操作摘み
１７  隠蔽片
１８  洗浄開始スイッチ
１９  すすぎ開始スイッチ
【図１】
2018171277.tif 000003
【図２】
2018171277.tif 000004
【図３】
2018171277.tif 000005
【図４】
2018171277.tif 000006